(57)【要約】【課題】重量によりアームが下方に垂れ下がることを起因とする動作不良を防止することができる扉閉鎖順位調整器を提供する。【解決手段】扉閉鎖順位調整器１は、上枠に固定設置されるベース２と、ベース２が有する軸体３に対して回動自在に設置されるアーム４と、アーム４が上枠側から扉の開く方向に突出するようアーム４に対して付勢力を及ぼす弾性体とを有しており、２枚扉７、８が開いた状態のときに該アーム４が突出状態となることによって２枚扉７、８の閉鎖順位を調整する。アーム４はアルミニウム合金製であり、２枚扉のうちの先閉扉７の先端部７ａに押圧される側面４ａには耐摩耗性テープ６又はステンレス薄板が貼付けられている。【選択図】図１
2009249842.tif 000002
【特許請求の範囲】
【請求項１】
上枠に固定設置されるベースと、該ベースが有する軸体に対して回動自在に設置されるアームと、該アームが上枠側から扉の開く方向に突出するよう該アームに対して付勢力を及ぼす弾性体とを有し、２枚扉が開いた状態のときに該アームが突出状態となることによって該２枚扉の閉鎖順位を調整する扉閉鎖順位調整器において、該アームはアルミニウム合金製であり、該２枚扉のうちの先閉扉の先端部に押圧される側面には耐摩耗性テープ又はステンレス薄板が貼付けられていることを特徴とする扉閉鎖順位調整器。
【発明の詳細な説明】
【技術分野】
【０００１】
本発明は２枚扉の閉鎖順位を調整するために用いられる扉閉鎖順位調整器の改良に関するものである。
【背景技術】
【０００２】
従来から、２枚１組の開閉扉を順序よく閉鎖する装置として、扉閉鎖順位調整器が知られている。例えば、下記特許文献１には、この種の装置における基本的な構成を有する扉閉鎖順位調整器が開示されている。かかる扉閉鎖順位調整器は、ベースとしての取付部材と、この取付部材に軸体を介して回動自在に軸支されて水平方向に移動するアームとによって構成されており、後閉扉の対向位置に当接するようにアームが突設配置されるという構成を有している。
【０００３】
このような構成の扉閉鎖順位調整器によれば、先閉扉と後閉扉よりなる２枚１組の開閉扉が閉鎖されるときに、後閉扉が適宜の角度に設定されたアームの先端部に設けられたローラに当接して規制されるので、先閉扉の先端部がアームの側面を押圧しながら閉まっていくと同時に、アームが後閉扉の内側を摺動して閉鎖方向に回動することにより、後閉扉は摺動するアームの規制を受けつつ閉まっていくようになっている。
【０００４】
【特許文献１】実開平６−４５０３１号公報
【発明の開示】
【発明が解決しようとする課題】
【０００５】
しかしながら、従来の扉閉鎖順位調整器にあっては、アームはステンレス製であり、重量が大きく、上枠側から突出するように配置されたアームが下方に垂れ下がってしまうことがある。このようにアームが下方に垂れ下がってしまった場合には、アームが先閉扉の先端部に押圧されて回動する際に、アームを収容する為に上枠に設けられた切欠き部にアームが入ることができず、扉が閉まらなくなるという問題が生じてしまう。また、アームが下方に垂れ下がった状態でアームが回動すると、アームの先端部に設けられたローラが後閉扉の内側を摺動する際にローラと後閉扉との接触により異音が発生するという問題が生じてしまう。
【０００６】
それゆえに本発明は、上記従来の問題に鑑みてなされ、アームが重量により下方に垂れ下がることを起因とする動作不良を防止することができる扉閉鎖順位調整器を提供することを課題とする。
【課題を解決するための手段】
【０００７】
本発明は、上記課題を解決すべくなされたものであり、本発明に係る扉閉鎖順位調整器１は、上枠に固定設置されるベース２と、該ベース２が有する軸体３に対して回動自在に設置されるアーム４と、該アーム４が上枠側から扉の開く方向に突出するよう該アーム４に対して付勢力を及ぼす弾性体とを有し、２枚扉７、８が開いた状態のときに該アーム４が突出状態となることによって該２枚扉７、８の閉鎖順位を調整する扉閉鎖順位調整器１において、該アーム４はアルミニウム合金製であり、該２枚扉のうちの先閉扉７の先端部７ａに押圧される側面４ａには耐摩耗性テープ６又はステンレス薄板が貼付けられていることを特徴とする。
【発明の効果】
【０００８】
本発明によれば、アームがアルミニウム合金製なので軽量であり、上枠側から突出するように配置されたアームが下方に垂れ下がることがなく、アームが重量により下方に垂れ下がることを起因とする動作不良を防止することができる。また、先閉扉の先端部に押圧されるアームの側面には耐摩耗性テープ又はステンレス薄板が貼付けられているので、先閉扉の先端部がアルミニウム合金製のアームを傷つけることを防止することができる。しかも、アルミニウム合金製のアームを用いることから、ステンレス製のアームを用いた従来の扉閉鎖順位調整器よりも安価とすることができる。
【発明を実施するための最良の形態】
【０００９】
以下、本発明に係る扉閉鎖順位調整器の一実施形態について図を参酌しつつ説明する。
図１に示すように、扉閉鎖順位調整器１は、上枠に固定設置されるベース２と、ベース２が有する軸体３に対して回動自在に設置されるアーム４と、アーム４が上枠側から扉の開く方向に突出するようにアーム４に対して付勢力を及ぼす図示せぬ弾性体と、アーム４の先端に回動自在に設けられるローラ５とを備えている。なお、図１において、実線は、アーム４が突出することによって後閉扉８とアーム４とが当接すると共に、先閉扉７の先端に形成された先端部としての目板７ａがアーム４の側面４ａに当接した状態を示しており、二点鎖線は、先閉扉と後閉扉が完全に閉鎖され、アーム４が上枠に設けられた図示せぬ切欠き部に収容された状態を示している。
【００１０】
ベース２は、上枠に固定設置されることによって扉閉鎖順位調整器１の設置基準となる部材である。ベース２は、図示せぬ複数の取付用孔を備えており、これら取付用孔を利用して上枠に固定されている。また、ベース２は、上枠への固定設置時に軸線方向が鉛直方向に延びるように形成されている軸体３を有している。この軸体３にはアーム４が回動自在に接続され、アーム４の回動動作における回動中心軸としての役割を担う。
【００１１】
アーム４は、上枠側から扉の開く方向に突出して後閉扉８を支える部材であり、アルミニウム合金を押出成形することによって製作されている。アーム４の先端側には、ローラ５が回動自在に設けられており、後閉扉８とのスムーズな摺動接触が実現できるようになっている。また、先閉扉７が閉まる際に先閉扉７の目板７ａに押圧される側のアーム４の側面４ａには、耐摩耗性テープ６が貼付けられている。耐磨耗性テープ６は、耐磨耗性が高く、摩擦係数が小さいという特性を有するものであり、材料としては、例えば、ポリエチレンテレフタレートやテフロン(登録商標）などのプラスチックフィルムが用いられる。なお、図１においては説明の便宜上、耐磨耗性テープ６の厚さを誇張して描いているが、実際の耐摩耗性テープの厚さは０．３ｍｍ程度である。
【００１２】
ベース２とアーム４との間には、上枠側から扉の開く方向にアーム４が突出するように、アームに対して常に付勢力を及ぼす図示せぬ弾性体（コイルばね）が配置されている。なお、アーム４が図示せぬ弾性体からの付勢力のみを受ける突出状態となっている場合のベース２に対するアーム４の設置角度については、ベース２側に設けられた図示せぬ角度設定機構によって任意に変更することが可能となっている。
【００１３】
次に、本実施形態に係る扉閉鎖順位調整器の動作について説明する。２枚扉を構成する先閉扉７と後閉扉８が開いた初期の状態において、アーム４は後閉扉８を当接支持することによって、後閉扉８が先閉扉７よりも先に閉まっていくことを防いでいる。すなわち、先閉扉７が閉鎖する前に後閉扉８が閉鎖しないように、突出状態にあるアーム４がローラ５を介して後閉扉８と当接することにより、後閉扉８を先閉扉７の動作範囲（符号αで示される一点鎖線の円弧の内側）から退避させている。そして、先閉扉７が符号αで示される一点鎖線の軌跡を描いて回動すると、図１に実線で示すように、先閉扉７の先端部としての目板７ａが耐磨耗性テープ６が貼付けられたアーム４の側面４ａを押圧するようになる。
【００１４】
先閉扉７による押圧動作により、アーム４の先端に設けられたローラ５は後閉扉８の内側を摺動し、アーム４は図示せぬ弾性体の付勢力に抗して上枠側に回動する。そして、後閉扉８は摺動するローラ５の規制を受けながら徐々に閉まっていき、最終的に先閉扉７と後閉扉８の閉鎖が完了すると、図１において二点鎖線で示すように、アーム４は上枠に設けられた図示せぬ切欠き部に収容された状態となる。
【００１５】
本発明の扉閉鎖順位調整器１は、上述した実施の形態に限定されず、特許請求の範囲で記載した範囲で種々の変形や改良が可能である。例えば、本実施の形態においてはアーム４の側面４ａには、耐摩耗性テープ６が貼付けられていたが、耐摩耗性テープに替えてステンレス薄板を貼り付けるようにしてもよい。厚さが０．３ｍｍ〜０．５ｍｍ程度のステンレス薄板を両面テープにより貼付けることにより、耐摩耗性テープを貼付けた場合と同様に、先閉扉の先端部がアルミニウム合金製のアームを傷つけることを防止することができる。
【００１６】
また、先閉扉７には先端部としての目板７ａが形成され、この目板７ａが耐摩耗性テープ６が貼り付けられたアーム４の側面４ａを押圧したが、先閉扉の先端部が耐摩耗性テープが貼り付けられたアームの側面を押圧すればよく、先閉扉に目板は設けられていなくてもよい。
【図面の簡単な説明】
【００１７】
【図１】本発明の実施形態に係る扉閉鎖順位調整器の動作を示すための図である。
【符号の説明】
【００１８】
１    扉閉鎖順位調整器
２    ベース
３    軸体
４    アーム
４ａ  側面
５    ローラ
６    耐摩耗性テープ
７    先閉扉
７ａ  目板
８    後閉扉
【図１】
2009249842.tif 000003